(57)【要約】  識別付属装置６０は、一対のジョーアーム１２を有する特徴の圧縮工具１０に設けられ、一対のジョーアームは、ジョーアームと側板を組み立てられた関係に維持するピン保持器を含む外側端部を有するピボットピン１８によって、一対の側板１４、１６の間に旋回可能に取り付けられる。ジョーアームは、反対側の側部と、内側縁部３４及び外側縁部３２と、それぞれ側板の前方及び後方に前方端部及び後方端部とを有し、識別付属装置が、ジョーアームを貫いて延在する付属装置のための取り付け開口部とは無関係に圧縮工具に着脱自在に取り付けられる。付属装置は、例えば、ジョーアームの反対側の側部と相互係合するか、又はピン保持器３０若しくは側板によって工具に捕捉されることができる。
2008543581.tif 000002
【特許請求の範囲】
【請求項１】
一対のジョーアームを備える圧縮工具のための識別付属装置であって、一対のジョーアームが、ジョーアームと側板とを組み立てられた関係に維持するピン保持器を含む外側端部を有するピボットピンによって、一対の側板間に旋回可能に取り付けられ、
前記ジョーアームが、反対側の側部と、内側縁部及び外側縁部と、それぞれ前記側板の前方及び後方に前方端部及び後方端部とを有し、前記識別付属装置が、ジョーアームを貫いて延在する識別付属装置のための任意の取り付け開口部とは無関係に前記圧縮工具に取り付け可能である、識別付属装置。
【請求項２】
ジョーアームの外側縁部を横切って延在するブリッジ部と、ジョーアームの反対側の側部に沿ってブリッジ部から下向きに延在する脚部とを有し、前記付属装置が、弾性材料で作られ、
前記脚部とジョーアームの前記反対側の側部とが、ジョーアームからの識別付属装置の分離を抑制するように材料弾性で相互係合する、請求項１に記載の付属装置。
【請求項３】
ジョーアームの反対側の側部が、互いに向かって内向きに窪まされ、前記脚部が、窪み内へ延在する内側側部を有する、請求項２に記載の付属装置。
【請求項４】
前記ブリッジ部が、テクスチャー付きの外側表面を有する、請求項２に記載の付属装置。
【請求項５】
前記脚部が、ジョーアームの反対側の側部を圧縮係合するために互いに向かって近寄る、請求項２に記載の付属装置。
【請求項６】
ジョーアームの反対側の側部が、互いに向かって内向きに窪まされ、前記脚部が、窪み部内に延在する内側側部を有する、請求項５に記載の付属装置。
【請求項７】
前記ブリッジ部が、テクスチャー付きの外側表面を有する、請求項６に記載の付属装置。
【請求項８】
前記ブリッジ部及び前記脚部が、前記ブリッジ部と前記脚部との間の締め付け具によってＵ字型に保持される、請求項２に記載の付属装置。
【請求項９】
前記ブリッジ部及び前記脚部が、蝶番式に相互接続され、前記締め付け具が、互いに対して旋回された変位に対して、ブリッジ部及び脚部を相互係合する、請求項８に記載の付属装置。
【請求項１０】
圧縮工具の少なくとも一つのピボットピンとの相互係合のための取り付け部分を有する、請求項１に記載の付属装置。
【請求項１１】
取り付け部分が、前記少なくとも一つのピボットピンを受け入れる開口部を含む、請求項１０に記載の付属装置。
【請求項１２】
反対側の端部を有するプレートを含み、前記取り付け部分が、前記反対側の端部それぞれに開口部を含む、請求項１１に記載の付属装置。
【請求項１３】
前記プレートが、プレートの各端部で開口部に受け入れられたピンのためのピン保持器によって圧縮工具に保持するため、圧縮工具の少なくとも一つの側板の少なくとも一部に重なる、請求項１２に記載の付属装置。
【請求項１４】
前記プレートが、側板に重なるため平坦であり、開口部が、プレートの反対側の端部で、圧縮工具のピボットピンの対応するピボットピンを収容するためのものである、請求項１３に記載の付属装置。
【請求項１５】
プレートは、プレートの各反対側の端部が、異なる側板の一つに重なり、かつ開口部が、プレートの反対側の端部で、圧縮工具のピボットピンの一つを受け入れるため位置合わせされるように、Ｕ字型である、請求項１３に記載の付属装置。
【請求項１６】
前記取り付け部分が、少なくとも一つのジョーアームの反対側の側部の少なくとも一つに重なる側板によって工具に保持するため、圧縮工具の少なくとも一つのジョーアームの反対側の側部の少なくとも一つの少なくとも一部に重なるプレートを含む、請求項１１に記載の付属装置。
【請求項１７】
前記プレートが、前記少なくとも一つのジョーアームの前記少なくとも一方の側部に関して平坦な部分を含み、異なる一つの圧縮工具のピボットピンそれぞれに一対の開口部を有する、請求項１６に記載の付属装置。
【請求項１８】
プレートが、少なくとも一つのジョーアームの反対側の側部の少なくとも一部に重なる脚部を含むＵ字型部分を含む、請求項１６に記載の付属装置。
【請求項１９】
圧縮工具の側板の後方でジョーアームの外側縁部を横切って延在するブリッジ部と、ブリッジ部からジョーアームの反対側の側部に沿って下向きに延在する脚部とを含み、
前記取り付け部分が、ジョーアームの対応する側部とジョーアームの前記対応する側部に重なる側板との間で、少なくとも一方の前記脚部から延在する、請求項１１に記載の付属装置。
【請求項２０】
反対側の側部及び反対側の端部を有するスリーブを含み、前記スリーブは、スリーブの反対側の側部が、側板とピボットピンの外側端部とに及び、かつスリーブの反対側の側部が、ジョーアームの外側縁部を横切って延在するように、圧縮工具を収容し、スリーブの前記反対側の側部が、スリーブを圧縮工具に保持するため、圧縮工具のピボットピンの外側端部を収容する窪み部を含む、請求項１０に記載の付属装置。
【請求項２１】
各ジョーアームの反対側の側部が、内向きに窪まされ、識別付属装置が、少なくとも一つのジョーアームの少なくとも一つの窪み部への圧力嵌めのため寸法が決められている周囲縁部を有する平坦なプレートである、請求項１に記載の付属装置。
【請求項２２】
圧縮工具のジョーアームの識別付属装置であって、
前記ジョーアームが、反対側の端部と、内側縁部及び外側縁部と、それぞれジョーアームを貫通するピボットピン開口部の前方及び後方に前方端部及び後方端部とを有し、前記反対側の側部が、互いに向かって内向きに窪まされ、前記付属装置が、弾性材料で作られ、ジョーアームの外側縁部を横切って延在するブリッジ部と、前記ブリッジ部から前記反対側の側部に沿って下向きに延在する脚部とを備え、前記脚部が、ジョーアームからの付属装置の分離を抑制するために、前記窪み部と相互係合する内側側部を有する、識別付属装置。
【請求項２３】
前記窪み部が、ジョーアームの後方端部にあり、ジョーアームの前記前方端部と前記後方端部との間の方向に細長くされ、前記脚部の前記内側側部及び前記窪み部が、嵌め合うように輪郭形成される、請求項２２に記載の付属装置。
【請求項２４】
前記脚部が、前方端部及び後方端部を有し、前記ブリッジ部が、脚部の前記後方端部で前記脚部を相互接続する、請求項２３に記載の付属装置。
【請求項２５】
前記ブリッジ部が、テクスチャー付きの外側表面を有する、請求項２４に記載の付属装置。
【請求項２６】
前記ブリッジ部が、テクスチャー付きの外側表面を有する、請求項２２に記載の付属装置。
【請求項２７】
前記窪み部が、内側表面を有し、前記脚部が、前記内側表面を圧縮係合するために互いの方へ向かって近寄る、請求項２２に記載の付属装置。
【請求項２８】
前記窪み部が、ジョーアームの後方端部にあり、ジョーアームの前記前方端部と前記後方端部との間の方向に細長くされ、前記脚部の前記内側側部及び前記窪み部が、嵌め合うように輪郭形成される、請求項２７に記載の付属装置。
【請求項２９】
前記脚部が、前方端部及び後方端部を有し、前記ブリッジ部が、脚部の前記後方端部で前記脚部を相互接続する、請求項２８に記載の付属装置。
【請求項３０】
前記脚部が、脚部の前記後方端部から脚部の前記前方端部へ向かう方向に近寄る、請求項２９に記載の付属装置。
【請求項３１】
前記ブリッジ部が、テクスチャー付きの外側表面を有する、請求項３０に記載の付属装置。
【発明の詳細な説明】
【技術分野】
【０００１】
本発明は、管および管継手を接合する圧縮工具の分野に関し、特に、押圧ジョーの寸法、工具名、及び／又は工具の供給元に関して、圧縮工具を識別する付属装置に関する。
【背景技術】
【０００２】
本発明に関連している特徴をもつ圧縮工具は、Ａｍｈｅｒｄへの米国特許第６，４３４，９９８号明細書に示されている。このような工具は、駆動機構部に着脱自在に取り付け可能な圧縮ジョーセットを含み、駆動機構部によって、圧縮ジョーセットのジョーアームが、管継手を接合するために管および管継手の周りで、圧縮状態で変位される。ジョーセットは、一対のジョーアーム部材により構成され、ジョーアーム部材は、一対の側板間に旋回可能に取り付けられるとともに、横方向内向きに開いている対向するジョー窪み部を一端部に有し、かつ横方向内向きに面しているカム表面を反対側の端部に有する。ジョーアームは、ジョーアームの反対側の端部間で、ジョーアームを貫く開口部に位置しているピンの周りを旋回し、ジョーアーム部材は、ジョーアーム部材の反対側の端部間に横方向内側縁部及び横方向外側縁部を有する。ジョーアームは、対向するジョー窪み部の閉方向へ向かって付勢され、ジョーセットは、側板を用いて、ジョーアームのピボットピンとカム表面との間で横方向にあるジョーセットに対する位置で、駆動機構部に取り付け可能である。駆動機構部は、ジョーアームのカム表面に沿って軸方向前方及び後方へ変位可能であるカムローラを含み、カム表面の前方へ変位させられたとき、カムが、カム表面と係合し、対向するジョー窪み部を互いに向かって、かつジョー窪み部の間に介挿されている管および管継手の周りで締め付け可能に変位させる。
【０００３】
圧縮工具市場には多くの製造業者があり、各製造業者のプレス工具システムは、多数の異なる寸法の押圧ジョーを含む。殆どの押圧ジョーは、競合業者の工具で使用されることができるように構成されるか、又は使用されることができ、あらゆるこの種の工具は、工具が埃と油に晒される環境で使用され、使用環境は多くの場合に照明が不十分である。したがって、異なるシステム及び製造業者の押圧ジョーは、区別し、識別し、かつ取り扱うことが難しい。殆どの押圧ジョー製造業者は、非常に多くの場合に、識別する印を結果として生じる方法を使用して押圧ジョー製造業者の押圧ジョーを識別し、識別する印は、読み取ることが難しく、かつ／又は耐久性が不足し、ジョー部材を識別できないことになる。この点に関して、例えばジョー部材は、これまで、機械彫刻、レーザーエッチング、及びデカールによって、ならびに、押圧ジョー部材が製造される鍛造ダイ及び鋳造金型の使用を介して、識別する印が設けられていた。デカールを除いては、上記方法で設けられた印は、見ることが難しく、デカールは、耐久性がなく、かつ現場で使用されるときには簡単に落ちる。独国特許第２９７１８２０４号明細書に示されるように、ある製造業者は、Ｕ字型のプラスチックストラップを考案し、プラスチックストラップは、ジョーアームの外側縁部を横切って延在するブリッジ部と、アームの反対側の側部に沿って下向きに延在する脚部とを有し、それらは、ジョーアームの反対側の側部間でジョーアームを貫いて延在する開口部内で相互係合する、脚部のポスト及びスリーブ構成部品によって相互接続される。独国特許第２９７１８２０４号明細書は、ジョーアーム内へ延在する穴に係合するポストを含む、プラスチックのボタン状のディスクを開示している。プラスチック材料は、印刷された印が、ある距離及び不十分な光の状態の両方で容易に識別されることを容易に許容するが、識別装置が、ジョーアームからの取り外し時に結果として破壊されるような方法で、ジョーアームに意図的に取り付けられる。したがって、付属装置は、例えば、ジョーアームの一方又は両方が壊れたなら、かつ取り替えられなければならないなら、再利用不可能である。さらに、Ｕ字型ストラップの付属装置は、ジョーアームを貫通する２個の開口部を必要とし、ボタン状ディスクの付属装置は、ジョーアームに穴を必要とし、このような孔及び／又は穴を設けるには、コストのかかる加工作業が必要である。
【発明の開示】
【発明が解決しようとする課題】
【０００４】
本発明によれば、従来の識別装置に関連して直面した欠点及び問題点を有利に最小限に抑え、及び／又は解決する、圧縮工具のための識別付属装置が提供される。この点に関してより詳細には、本発明によって提供される識別付属装置は、再利用できるように圧縮工具に着脱自在に取り付けられ、識別装置を工具に取り付ける目的のために、工具の構成要素部品内又は構成要素部品を貫通する特殊な取り付け開口部の設置とは無関係に、工具に取り付け可能である。
【課題を解決するための手段】
【０００５】
本発明の一態様によれば、付属装置は、工具のジョーアームの外側縁部を挟むようにＵ字型であり、かつ弾性材料で作られ、ジョーアームの反対側の側部に沿って延在する脚部の内側側部が、反対側の側部と摩擦相互係合し、かつ／又はジョーアーム内の窪み部との締めしろのために輪郭形成される。本発明の別の態様によれば、識別付属装置は、少なくとも一方のピボットピンとの相互係合によって工具に保持される。例えば、付属装置は、圧縮工具の一方又は両方のピボットピンを収容する開口部が設けられ、かつピン保持器によって、工具の側板の外側側部に対して保持される。本発明のさらに別の態様によれば、識別付属装置は、工具の一方又は両方のピボットピンを収容する開口部が設けられ、ジョーアームの外側側部とジョーアームの外側側部に重なる工具の側板との間で、工具に取り付けられる。さらに別の態様によれば、付属装置は、ピボットピンの外側端部を取り囲むスリーブの形態をしている。
【０００６】
付属装置は、例えば、ナイロンのようなポリマーと、プラスチックシート材料と、アルミニウム、鋼、及びばね金属を含む金属シート材料とを含む、多種多様な材料で作られることができる。プラスチック材料で作られている付属装置は、カラーコード化されることができ、非常によく見える印刷及び／又はエンボスを許容する。プラスチック及び金属シート材料は、工具サイズを含む所望の印、及び必要に応じて、製品名及び／又は工具の供給元を識別する印を設けるために、塗装、印刷、エンボス加工、又は切開されることがある。
【０００７】
したがって、本発明の顕著な目的は、識別印を圧縮工具に与えることに関連した改良を行うことである。
【０００８】
本発明の別の目的は、再利用のために圧縮工具から取り外すことができる識別付属装置を、圧縮工具に提供することである。
【０００９】
さらに別の目的は、付属装置のために圧縮工具に設けられている任意の取り付け開口部とは無関係に、圧縮工具に着脱自在に取り付けられる、圧縮工具のための識別付属装置を提供することである。
【００１０】
さらなる目的は、ジョーアームの反対側の側部との摩擦相互係合、ジョーアームの反対側の側部の窪み部との締めしろ、及び工具の少なくとも一つのピボットピンとの相互係合のうちの少なくとも一つによって、着脱自在に保持される、上記の特徴をもつ付属装置を提供することである。
【００１１】
さらに別の目的は、工具のピボットピンの外側端部のピン保持器又は工具の側板の一方によって、工具に着脱自在に保持される、前述の特徴をもつ付属装置を提供することである。
【００１２】
前述の目的及びその他の目的は、一部は明白であり、一部は、以下で添付図面に例示されている本発明の好ましい実施形態の記載に関連してより十分に指摘される。
【発明を実施するための最良の形態】
【００１３】
以下に、本発明の好ましい実施形態を例示することだけを目的とし、本発明を限定することを目的としていない図面をより詳細に参照する。図１から図３は、一対のジョーアーム部材１２を備えるジョーセット１０を例示し、一対のジョーアーム部材１２は、図１から図３に示された向きでは、対応するピボットピン１８によって、それぞれ上側板１４と下側板１６との間に取り付けられる。各ジョーアーム部材１２は、上側側部２０及び下側側部２２と、対応するピン１８を収容し上側側部２０及び下側側部２２を通るピボットピン開口部２４とを有する。側板１４及び１６は、おおよそＴ字型であり、それぞれ横方向反対側の側方縁部１４ａ及び１６ａを含み、側方縁部は、対応するピン１８の外側端部を収容する位置合わせされた穴２６が設けられている。側板１４及び１６は、それぞれ後方端部１４ｂ及び１６ｂをさらに含む。後方端部は、位置合わせされた開口部２８が設けられ、開口部２８を通して、取り付けピンを収容するように構成され、取り付けピンによって、ジョーセットは、よく知られている方法で駆動ユニットに取り付けられる。ジョーアーム部材及び側板は、各ピン１８の反対側の端部にあるスプリングクリップの形態をしたピン保持器３０によって、組み立てられた関係に保持される。各ジョーアーム部材１２は、それぞれ長手方向反対側に前方端部１２ａ及び後方端部１２ｂを有する。各ジョーアームは、それぞれ横方向に外側縁部３２及び内側縁部３４をさらに含む。外側縁部及び内側縁部は、開口部２４から離間され、開口部の前方及び後方に延在している。ジョーアーム部材の内側縁部３４は、前方端部１２ａにかつ側板１４及び１６の前方に、横方向内向きに開いている対向するのジョー窪み部３６を提供し、後方端部１２ｂにかつ側板の後方端部の後方に、横方向内向きに面しているカム表面３８を提供する。ジョーアームの内側縁部３４は、対向する内向きに開いているスプリングピン窪み部４０が設けられ、スプリングピン窪み部４０は、ともにスプリングピン４２のためのスプリングピン開口部を画定する。ジョーアーム部材の内側縁部３４は、トーションスプリング４６を収容する対応するピンスプリング窪み部４４がさらに設けられ、トーションスプリング４６は、ピン４２の周りに巻かれ、かつジョーアームの内側縁部３４に沿って後方に延在するスプリング脚部４８を含む。図１の左側のジョーアーム１２の後方端部１２ｂに関して図３に示されているように、各ジョーアームの後方端部で、各ジョーアームの上側側部２０及び下側側部２２は、それぞれ上側窪み部５０及び下側窪み部５２が設けられ、上側窪み部５０及び下側窪み部５２は、ジョーアームの反対側の側部間にウェブ５４を提供する。
【００１４】
本発明による圧縮工具のジョーアームに取り付け可能な識別付属装置の第１の実施形態は、図面中の図４から図６に示される。この点に関してより詳細には、付属装置６０は、断面がＵ字型であり、ブリッジ部６２と、互いに離され、かつブリッジ部から下方へ延在する一対の脚部６４及び６６とを含む。脚部６４及び６６は、それぞれ前方端部６４ａ及び６６ａ、ならびに後方端部６４ｂ及び６６ｂを有し、ブリッジ部６２が、脚部の後方端部の上方端部を相互接続する。脚部６４及び６６の内側側部６８及び７０は、それぞれ対応する上方脚部分７２及び７４によってブリッジ部６２の下に間隔が空けられ、脚部の内側側部６８及び７０は、付属装置をジョーアームに着脱自在に保持するように、締めしろを脚部と窪み部との間に設けるため、ジョーアームの窪み部５０及び５２と嵌め合わされて相互係合するように輪郭形成される。さらにこの点で、付属装置は、好ましくは、弾性を有するナイロンのようなポリマーで作られ、弾性によって、付属装置がジョーアームの外側側部の縁部を横切って下向きに動かされるときに、脚部が図５に示されている向きから外向きに広がり、かつ、内側側部がアーム窪み部に入るときに、脚部が図５に示されている元の向きに戻って変位されることを可能にする。好ましくは、図６において最もよくわかるように、脚部６４及び６６は、ジョーアームの窪み部５０と窪み部５２との間でウェブ５４の反対側の側部に圧縮力を加えることにより、ジョーアームでの付属装置の保持を強化するため、脚部の後方端部から前方端部へ向かう方向に近寄る。好ましくは、ブリッジ部６２の外側又は上側側部は、使用中にジョーアームのジョー窪み部を広げるために、圧縮工具のジョーアームを容易に把握できるようにテクスチャーが付けられ、本実施形態では、このようなテクスチャーは、ブリッジ部を横切って側方に延在するリブ部又は鋸歯状部７６によって提供される。付属装置の脚部６４及び６６の外側側部は、例えば、製造業者名、製品名、工具の寸法などの印を収容するように構成され、好ましくは、ブリッジ部の外側側部の一部７８は、工具寸法のような印を収容するために平らなまま残されている。
【００１５】
以下で明らかになるように、ジョーアームが、付属装置６０のような識別付属装置を収容しかつ保持するように、ジョーアームを修正することは不可欠ではない。しかし、好ましくは、付属装置のより低い輪郭を促進するため、図７に示されているように、ジョーアームの外側縁部３２と側部２０及び２２の隣接部分とは、チャネル８０が設けられ、チャネル８０は、付属装置のブリッジ部６２の裏面と脚部６４及び６６の上方部分７２及び７４とを収容するために、ウェブ５４を横切って延在し、かつアームの窪み部５０及び５２へ通じる。図８と前述の説明とからわかるように、付属装置の脚部６４及び６６は、それらの間にジョーアームの外側縁部３２と側部２０及び２２の隣接部分とを収容するために離して広げられ、付属装置は、脚部の内側側部６８及び７０が、ジョー窪み部５０及び５２に入り、かつブリッジ部の裏面が、チャネル８０の上方端部内に係合するまで、下向きに押し付けられる。同時に、付属装置を作るポリマー材料の弾性は、脚部６４及び６６を図５に示されている向きへ戻し、これによって、付属装置の内側側部６８及び７０は、付属装置とジョーアーム窪み部との間の締めしろによって、付属装置をジョーアーム窪み部に保持するためジョー窪み部に収容される。
【００１６】
図９から図１１は、本発明による識別付属装置の別の実施形態を例示している。本実施形態では、付属装置８２は、ジョーアーム１２に取り付けられているときに断面がＵ字型であり、ジョーアームの外側縁部３２を横切って延在するブリッジ部８４と、ジョーアームの側部２０及び２２に沿って下向きに延在し、かつそれぞれ内側側部９０及び９２を有し、内側側部９０及び９２とジョーアーム窪み部との締めしろによって、付属装置がジョーアームに保持されるようにジョーアーム窪み部５０及び５２に収容されるべく輪郭形成された脚部８６及び８８とを備える。本実施形態では、図１１からわかるように、付属装置は、ブリッジ部８４と各脚部８６及び８８との間に蝶番部分９４を有するように、適切なプラスチック材料から平らな構造に成形されるか、さもなければ形成され、蝶番部分９４は、ブリッジ部と脚部をＵ字型構造に折り畳むことを可能にする。さらに、各脚部８６及び８８は、脚部を貫通する一対の締め付け具開口部９６が設けられる。ブリッジ部８４は、ブリッジ部を横切る一対のチャネル９８が設けられ、各チャネルは、締め付け具１００を収容するため２つの脚部の一対の開口部９６と位置合わせされ、締め付け具１００によって、ブリッジ部と脚部が、Ｕ字型構造に保持される。締め付け具１００は、一方の端部にヘッドを有し、他方の端部でナットを受け取るネジ付き軸部を含むことができ、又は代わりに、リベットなどのような形態であり得ることがわかる。さらなる代案として、ブリッジ部及び脚部は、ジョーアームの所定の位置に部品を保持するために、ともにスナップの一体締め付け構成要素が設けられることもある。リベットのような固定式締め付け構成の場合、プラスチック材料は、好ましくは、十分に弾性があり、ジョーアームの外側縁部を横切る付属装置の取り付けを容易化するために、脚部を離して開かせることが可能であり、これに対して、着脱式又はスナップフィットの締め付け構成の場合、付属装置のプラスチック材料は、より剛性があり、かつブリッジ部及び脚部をＵ字型構造に保持するために、締め付け具を操作するのに関連してジョーアームに取り付けられることがある。図１１に示されているように、一体構造を有することが好ましいが、ブリッジ部及び脚部は、別個の部品として生産され得ることがわかるであろう。この場合も、脚部の外側側部表面及びブリッジ部の外側表面は、例えば、製造業者名及び工具の寸法のような適当な印のための領域を提供する。
【００１７】
図面の図１２及び図１３に示されている実施形態では、識別付属装置１００は、金属又はプラスチック材料のプレート又はシートの形態であり、ピボットピン１８の外側端部でピン保持器３０によって、圧縮工具の少なくとも一方の側板の外側側部に捕捉される。この点に関してより詳細には、付属装置１００を提供するプレート又はシートの反対側の端部は、対応する一方のピボットピン１８を受け入れる開口部１０２が設けられ、開口部１０２は、ピン保持リング３０が、プレートの外側側部と係合するような大きさにされる。ピボットピン１８の間にあるプレート又はシートの部分は、印のための領域を提供する。
【００１８】
図１４は、図１２及び図１３に例示された実施形態の修正を例示し、この点に関して、一対のＵ字型の識別付属装置１０４は、ジョーアームの外側縁部３２を横切って延在するブリッジ部１０６と、圧縮工具の側板１４及び１６と重なり合う関係で、内向きに延在する対応した脚部１０８の対とを有する。図１３からわかるように、脚部１０８は、対応する一方のピボットピン１８の反対側端部を受け入れる位置合わせされた開口部が設けられ、付属装置は、保持リング３０によって工具の所定の位置に保持されている。ブリッジ部１０６の外側表面は、工具寸法のような印が収容される領域を提供する。図１４は、本発明による識別付属装置の別の実施形態をさらに例示し、付属装置１１０は、ジョーアーム窪み部の輪郭と対応する輪郭を有する、金属又はプラスチック材料からなるプレートの形態であり、かつ窪み部との圧力嵌めの関係を提供するように、窪み部より過大な寸法にされている。
【００１９】
図面の図１５から図１８に例示されている実施形態では、識別付属装置は、圧縮工具の側板と圧縮工具のジョーアームの対応する側部との間に捕捉されている。この点で、最初に図１５及び図１６に関して、識別付属装置１１２は、圧縮工具の対応する一方のピボットピン１８を受け入れる開口部１１４が設けられている反対側の端部を有する、プラスチック又は金属からなるプレート又はシートの形態であり、プレートは、ジョーアームと側板を組み立てられた関係に保持するピン保持器３０によって、側板とジョーアーム１２の対応する側部との間に捕捉される。図１４における実施形態からわかるように、かつ図１６に破線１１６で示されているように、付属装置１１２は、一体スリーブの形態でもよく、又は代わりに、側板とジョーアームとの間に捕捉された別々のＵ字型付属装置の形態でもよい。
【００２０】
図１７に例示されている実施形態は、後者の特徴をもち、この点で、ジョーアームの外側縁部３２を横切って延在するブリッジ部１２０と、ブリッジ部からジョーアームの反対側の側部２０及び２２を横切って延在する脚部１２２とを有する、一対のＵ字型の付属装置１１８を含む。付属装置１１８は、シートメタル又はプラスチック製であり、付属装置のブリッジ部及び側部は、ジョーアームの側部とジョーアームの後方端部にある窪み部とに重なるように、ピボットピン１８の前方及び後方に延在する。図１５及び図１６の実施形態からわかるように、各付属装置１１８は、ピボットピン１８を収容する位置合わせさせられた開口部が設けられ、付属装置は、側板１４及び１６とジョーアーム１２の外側側部との間に捕捉される。
【００２１】
図１８は、図１５から図１７に例示されている実施形態の別の修正を例示し、この点で、ジョーアームの外側側部３２を横切って延在するブリッジ部１２６と、ジョーアームの反対側の側部２０及び２２に沿ってブリッジ部から内向きに延在し、かつジョーアームの反対側の側部のジョー窪み部の前方端部に収容されている内側側部を有する脚部１２８とを備える、Ｕ字型の識別付属装置１２４を示す。各脚部１２８は、一体の取り付けストラップ１２９が設けられ、取り付けストラップ１２９は、脚部からジョーアームの外側側部と圧縮工具の対応する側板との間に延在し、かつ工具の対応するピボットピン１８を取り囲む円形外側端部１３０を有する。それによって、付属装置は、図１５及び図１６の実施形態に関して上述されている方法で捕捉される。本実施形態では、ブリッジ部１２６の外側側部ならびに脚部１２８の外側側部は、所望の印を収容する領域を提供する。
【００２２】
図１９及び図２０は、弾性ポリマー材料の閉鎖スリーブの形態をした識別付属装置１３２を例示し、識別付属装置１３２は、それぞれ側板１４及び１６の外側側部に重なる反対側の側部１３４及び１３６を有し、側部１３４と１３６との間に反対側の端部１３８を有し、かつ側板の外側側部と圧縮工具のジョーアームを横切って延在する。スリーブは、ジョーアームの前方端部などから所定の位置へ滑動するように構成され、側部１３４及び１３６の内側側部は、位置合わせされた窪み部１４０が設けられ、窪み部１４０は、付属装置を工具に着脱自在に保持するように、工具のピボットピン１８の外側端部を収容し、かつ外側端部と相互係合するように構成される。再び、側部１３４及び１３６の外側表面、ならびに端部１３８の外側表面は、所望の印を収容するための領域を提供する。付属装置は、好ましくは、一体構造であるが、側部１３４及び１３６と端部１３８は、両者間の締め付け具によって相互接続される別個の部品でもよい。
【００２３】
図面の図２１及び図２２は、付属装置１４２を例示し、付属装置１４２は、断面がＵ字型であり、好ましくは、ジョーアームの外側縁部３２を横切って延在するブリッジ部１４４と、ジョーアームの反対側の側部２０及び２２に沿って内向きに延在する脚部１４６及び１４８とを提供するために、バネ鋼で構成される。破線によって示される脚部１４６及び１４８の位置のように、付属装置をジョーアームに取り付ける前に、脚部は、ブリッジ部１４４から脚部の自由端部へ向かう方向に近寄るので、付属装置をジョーアームの所定の位置に着脱自在に保持するために、付属装置が脚部に取り付けられるとき、脚部は広げられ、ジョーアームの側部２０及び２２を圧縮係合する。本実施形態は、ジョーアームの反対側の側部に窪み部を有するジョーアームに関連して表されているが、ジョーアームは、このような窪み部無しで製造されることがあり、このような事例では、ジョーアームへの付属装置の摩擦保持が、ジョーアームの平坦表面によって強められている。
【００２４】
付属装置がプラスチック又は金属のプレート又はシートの形態をしている本明細書中に例示され、本明細書中に記載されているような実施形態では、印は、例えば、印刷、エッチング、エンボス、及び／又はシート材料の切開によって、付属装置に設けられることがある。さらに、付属装置は、塗装によって、又は着色プラスチック材料の使用によってカラーコード化されることがある。
【００２５】
本明細書中では本発明の好ましい実施形態に、かなり重点が置かれているが、その他の実施形態が考え出され得ること、及び多数の修正が、本発明の原理から逸脱することなく好ましい実施形態に関してなされ得ることがわかるであろう。したがって、前述の記述事項は、本発明の限定としてではなく、単に本発明の例示として解釈されるべきであり、かつ、請求項の範囲又はその等価物の範囲に入る限り、その他の実施形態及び好ましい実施形態の全ての修正を包含するように意図されていることが、明瞭に理解されるべきである。
【図面の簡単な説明】
【００２６】
【図１】本発明による識別付属装置を収容する圧縮工具の平面図である。
【図２】図１の線２−２に沿って取られた圧縮工具の正面断面図である。
【図３】図１の線３−３に沿って取られた工具のジョーアームの正面断面図である。
【図４】本発明による識別付属装置の一実施形態の斜視図である。
【図５】図４において右から左の方向に見た付属装置の端面図である。
【図６】図４に示された付属装置の底面図である。
【図７】図４に示された付属装置を収容するように修正されたジョーアームの斜視図である。
【図８】その上に図４の付属装置を含む図７のジョーアームの斜視図である。
【図９】図１に示された工具のジョーアームに取り付けられた識別付属装置の別の実施形態の斜視図である。
【図１０】図９の線１０−１０に沿って取られた付属装置の背面図である。
【図１１】ジョーアームに取り付けられる前の図９に示された付属装置の斜視図である。
【図１２】本発明による識別付属装置のさらに別の実施形態の斜視図である。
【図１３】図１２の線１３−１３に沿って取られた正面断面図である。
【図１４】本発明による識別付属装置のさらなる実施形態が設けられている圧縮工具の斜視図である。
【図１５】本発明による識別付属装置のさらに別の実施形態を有する圧縮工具の平面図である。
【図１６】図１５の線１６−１６に沿って取られた正面断面図である。
【図１７】取り付けられている図１５の識別付属装置の修正を示す圧縮工具の斜視図である。
【図１８】取り付けられている図１５の識別付属装置のさらに別の修正を有する圧縮工具の斜視図である。
【図１９】取り付けられている本発明による識別付属装置のなおさらなる実施形態を有する圧縮工具の斜視図である。
【図２０】図１９の線２０−２０に沿って取られた断面図である。
【図２１】取り付けられている本発明による識別付属装置のさらなる実施形態を有する圧縮工具の斜視図である。
【図２２】図２１の線２２−２２に沿って取られた断面図である。
【図１】
2008543581.tif 000003
【図２】
2008543581.tif 000004
【図３】
2008543581.tif 000005
【図４】
2008543581.tif 000006
【図５】
2008543581.tif 000007
【図６】
2008543581.tif 000008
【図７】
2008543581.tif 000009
【図８】
2008543581.tif 000010
【図９】
2008543581.tif 000011
【図１０】
2008543581.tif 000012
【図１１】
2008543581.tif 000013
【図１２】
2008543581.tif 000014
【図１３】
2008543581.tif 000015
【図１４】
2008543581.tif 000016
【図１５】
2008543581.tif 000017
【図１６】
2008543581.tif 000018
【図１７】
2008543581.tif 000019
【図１８】
2008543581.tif 000020
【図１９】
2008543581.tif 000021
【図２０】
2008543581.tif 000022
【図２１】
2008543581.tif 000023
【図２２】
2008543581.tif 000024
【国際調査報告】
2008543581.tif 000025
2008543581.tif 000026
2008543581.tif 000027
2008543581.tif 000028
2008543581.tif 000029